(57)【要約】【課題】  床面の清掃性を損なうことなく、床面以外の清掃を簡単に行うことができる吸口体及びこの吸口体を備えた電気掃除機を提供する。【解決手段】  回転清掃体５１１を備えた吸口本体５０５と、この吸口本体５０５と接続管４００との角度を可変に連結する自在連結部５６０とから構成し、前記吸口本体５０５は、その対向する筺体面５１４に回転清掃体５１１を露出する第１吸込口５１０と、ガード手段５１５で覆われる第２吸込口５１２とを設けるとともに、この第１吸込口５１０と第２吸込口５１２の一方を閉鎖可能とする遮蔽部５１３を備えるようにする。【選択図】  図１
2010227465.tif 000002
【特許請求の範囲】
【請求項１】
塵埃を吸い込むための送風機を備えた電気掃除機本体と接続管を介して接続される吸口体であって、
前記吸口体は、回転清掃体を備えた吸口本体と、この吸口本体と接続管との角度を可変に連結する自在連結部とから構成し、
前記吸口本体は、その対向する筺体面に回転清掃体を露出する第１吸込口と、ガード手段で覆われる第２吸込口とを設けるとともに、この第１吸込口と第２吸込口の一方を閉鎖可能とする遮蔽部を備えている
ことを特徴とする電気掃除機の吸口体。
【請求項２】
前記請求項１記載の電気掃除機の吸口体において、
前記遮蔽部は、第１吸込口と第２吸込口を覆う大きさを備えた遮蔽面と、この遮蔽面を支持する支持体を含んでいる
ことを特徴とする電気掃除機の吸口体。
【請求項３】
請求項２記載の電気掃除機の吸口体において、
前記支持体は、前記遮蔽面の長手方向と直交する両端部に設けられて、前記吸口本体の長手方向の両端部に設けられる回転軸と回転可能に連結するスライド溝と、前記吸口本体と引き合う作用で連結されるバネ材とを備え、
前記吸口本体は、前記遮蔽部の回転移動を案内支持するガイド溝を備えている
ことを特徴とする電気掃除機の吸口体。
【請求項４】
請求項２記載の電気掃除機の吸口体において、
前記遮蔽面は蛇腹状であり、前記支持体は、蛇腹状の前記遮蔽面を支持する支持レールである
ことを特徴とする電気掃除機の吸口体。
【請求項５】
前記請求項１から４記載のいずれかの電気掃除機の吸口体において、
前記吸口本体は、他の筺体面に配置される第３吸口部と、この第３吸口部を隠蔽する第２遮蔽部を備えている
ことを特徴とする電気掃除機の吸口体。
【請求項６】
塵埃を吸い込むための送風機を備えた電気掃除機本体と、一端を前記電気掃除機本体に取付けられて前記送風機に連通する柔軟性のある吸引ホースと、前記吸引ホースの他端と取付けられて前記送風機に連通する手元ハンドルと、前記手元ハンドルに取付けられて前記吸引ホースに連通する接続管と、前記接続管に取付けられて該接続管に連通する吸口体とからなり、
前記吸口体は、回転清掃体と該回転清掃体の駆動部とを備えた吸口本体と、前記吸口本体を前記接続管に回転可能に連結し、前記吸口本体の塵埃通路と前記接続管を連通する自在連結部を備え、
前記自在連結部は、管状の下腕部と管状の上腕部とから構成され、
前記下腕部は、その長手方向の一端を第１回転軸部を介して前記吸口本体と回転可能に連結し、他の一端は前記上腕部の一端と第２回転軸部を介して回転可能に連結され、
前記第１回転軸部と前記第２回転軸部はそれぞれ直交する回転軸を備え、
前記吸口本体は、回転清掃体を備えた吸口本体と、この吸口本体と接続管との角度を可変に連結する自在連結部とから構成し、
前記吸口本体は、その対向する筺体面に回転清掃体を露出する第１吸込口と、ガード手段で覆われる第２吸込口とを設けるとともに、この第１吸込口と第２吸込口の一方を閉鎖可能とする遮蔽部を備えている
ことを特徴とする電気掃除機。
【請求項７】
前記請求項６記載の電気掃除機において、
前記遮蔽部は、第１吸込口と第２吸込口を覆う大きさを備えた遮蔽面と、この遮蔽面を支持する支持体を含んでいる
ことを特徴とする電気掃除機。
【請求項８】
請求項７記載の電気掃除機の吸口体において、
前記支持体は、前記遮蔽面の長手方向と直交する両端部に設けられて、前記吸口本体の長手方向の両端部に設けられる回転軸と回転可能に連結するスライド溝と、前記吸口本体と引き合う作用で連結されるバネ材とを備え、
前記吸口本体は、前記遮蔽部の回転移動を案内支持するガイド溝を備えている
ことを特徴とする電気掃除機。
【請求項９】
請求項７記載の電気掃除機において、
前記遮蔽面は蛇腹状であり、前記支持体は、蛇腹状の前記遮蔽面を支持する支持レールである
ことを特徴とする電気掃除機。
【請求項１０】
塵埃を吸い込むための電気掃除機本体と、一端を前記電気掃除機本体に取付けられる吸引ホースと、前記吸引ホースの他端に取付けられる手元ハンドルと、前記手元ハンドルに取付けられる接続管と、前記接続管に取付けられる吸口体とを備えた電気掃除機において、
前記吸口体は、異なる方向の外面に、複数の吸込口を有し、
前記吸口体は、前記複数の吸込口の何れか１つを選択的に塞ぐことが可能な部材を備える
ことを特徴とすることを特徴とする電気掃除機。
【発明の詳細な説明】
【技術分野】
【０００１】
本発明は、回転清掃体を備えた電気掃除機の吸口体及びこの吸口体を用いた電気掃除機に関する。
【背景技術】
【０００２】
現在主流となっている電気掃除機は、集塵装置を備えた掃除機本体と、床面の塵埃を吸引する床用吸口体とを吸込管や吸引ホースで連結したキャニスタータイプと呼ばれる構造のものである。この従来例の掃除機本体は、その内部に集塵装置と送風装置を備え、車輪を介して自在に移動可能な構造となっている。一方、床用吸口体は、床面を清掃するために、その内部に回転清掃体とその駆動部を備え、この回転清掃体を回転させることで、床面の塵埃を掻きあげて、これを吸引する構造となっている。また、この床用吸口体は、伸縮可能な吸込管の一端に取り付けられ、吸込管の他端に取り付けられる吸引ホースを介して掃除機本体に連結される。吸込管の他端には手元ハンドルが設けられ、この手元ハンドルを使用者が保持することで、床用吸口体の移動や掃除機本体の移動を行うことができる。
【０００３】
これら従来の電気掃除機は、床面を清掃することが主体であるが、吸込管の先端に取り付けられる床用吸口体を他の吸口体、例えば、隙間吸口体や布団用吸口体などに取り替えることで、床面以外の掃除でも可能としている。
【０００４】
しかし、これら吸口体は、清掃場所に対応して、その都度、吸口体を交換する必要がある。そこで、従来例では、吸口体を吸込管に対して回動することにより、掃除場所に最適な吸込口に簡単に切り替えて使用することができるものが提案されている。
【先行技術文献】
【特許文献】
【０００５】
【特許文献１】特開平７−１６１７９号公報
【発明の概要】
【発明が解決しようとする課題】
【０００６】
前記従来例は、吸塵ホース，延長管等の吸込管の先端に接続する吸込具本体と、この吸込具本体の先端に塵埃を吸い込む異なる機能を有する複数の吸込口と、この吸込具本体を吸込管に対して回動することにより掃除場所に最適な吸込口に切り替える切替手段とを設けた構造としている。しかし、この従来例は、現在主流となっている回転清掃体を備えない補助の吸口体を前提とした構造としている。即ち、現在主流となっている吸口体は、回転清掃体を備えた吸口本体と、吸口本体と接続管との角度を可変に連結する自在連結部とから構成している。したがって、現在主流の吸口体は、回転清掃体を備えることで集塵力を向上するとともに、自在連結部を介して接続管と連結するため、この接続管の他端に設けたハンドルによる快適な操作性が得られる構造となっている。
【０００７】
前記従来例では、回転清掃体や自在連結部を備えられていないために、床用の吸口体としての集塵力や快適な操作性が得られない課題がある。加えて、従来例は、補助吸口体を前提にしているために、回転清掃体を駆動させるための駆動部に対する電源供給などについても配慮されていない。
【０００８】
そこで、本発明の目的とするところは、床面の清掃性を損なうことなく、床面以外の清掃を簡単に行うことができる吸口体及びこの吸口体を備えた電気掃除機を提供することにある。
【課題を解決するための手段】
【０００９】
前記課題を解決するために、本発明に係る電気掃除機の吸口体及びこの吸口体を備えた電気掃除機は、回転清掃体を備えた吸口本体と、この吸口本体と接続管との角度を可変に連結する自在連結部とから構成し、前記吸口本体は、その対向する筺体面に回転清掃体を露出する第１吸込口と、ガード手段で覆われる第２吸込口とを設けるとともに、この第１吸込口と第２吸込口の一方を閉鎖可能とする遮蔽部を備えるようにする。
【発明の効果】
【００１０】
本発明によれば、吸口体の対向する筺体面に回転清掃体を露出する床用の第１吸込口と、他の部位の清掃可能な第２吸込口とを備えたので、吸口本体を反転することにより、床面と他の部位の清掃を簡単に行うことができる。この際、使用しない第１吸込口または第２吸込口の一方は遮蔽部によって隠蔽されるので、使わない吸込口からの塵埃の飛散を軽減するとともに、集塵力を落とすことなく清掃性を向上することができる。
【図面の簡単な説明】
【００１１】
【図１】第１実施例に係る電気掃除機の概略図である。
【図２】第１実施例に係る電気掃除機の内部構造を示す概略断面図である。
【図３】第１実施例に係る吸口体の概略構造を示す中央断面図である。
【図４】第１実施例に係る吸口体の部品構成図である。
【図５】第１実施例に係る吸口体の遮蔽部の動作構造を示す断面図である。
【図６】第１実施例に係る吸口体の遮蔽部の動作位置を示す側面図である。
【図７】第１実施例に係る自在連結部のロック機構を示す斜視図である。
【図８】第１実施例に係る吸口体の使用状態図である。
【図９】第２実施例に係る吸口体の概略構造図である。
【図１０】第２実施例に係る一対の吸引調整部の動作状態を示す部分断面図である。
【図１１】第３実施例に係る吸口体の外観図である。
【図１２】第３実施例に係る吸口体の縦断面図である。
【図１３】第４実施例に係る吸口体を後方から見た外観斜視図である。
【図１４】第４実施例に係る吸口体の中央縦断面図である。
【図１５】第４実施例に係る自在連結部の部品展開図である。
【発明を実施するための形態】
【００１２】
以下、図１から図１５を参照して、この発明に係る実施の形態を詳細に説明する。ここで、図１から図８が第１実施例、図９と図１０が第２実施例、図１１と図１２が第３実施例、図１３から図１５が第４実施例を示している。なお、同一部位や矢印などは同一符号をもって示し、重複した説明を省略する。
（第１実施例）
図１から図８は、第１実施例に係る電気掃除機を示したものである。ここで、図１は、第１実施例に係る電気掃除機の概略図である。図２は、電気掃除機の内部構造を示す概略断面図である。図３は、吸口体の概略構造を示す中央断面図である。図４は吸口体の部品構成図である。図５は、吸口体の吸引調整部の動作構造を示す断面図である。図６は、吸口体の吸引調整部の動作位置を示す側面図である。図７は、自在連結部のロック機構を示す斜視図である。図８は吸口体の使用状態図である。
【００１３】
先ず、図１を参照して、この実施例に係る電機掃除機の概略構造を説明する。符号１で総括的に示すのは電気掃除機の全体であり、塵埃を吸い込むための図示しない機構、例えば送風装置を備えた電気掃除機本体１００と、一端が前記電気掃除機本体１００に取り付けられ、前記送風機に連通する柔軟性のある吸引ホース２００と、前記吸引ホース２００の他端に取り付けられて前記送風機に連通する手元ハンドル３００と、前記手元ハンドル３００に取り付けられて前記吸引ホース２００に連通する接続管４００と、前記接続管４００に取り付けられ、この接続管４００に連通する吸口体５００とから構成される。
【００１４】
電気掃除機本体１００は、内部に使い捨て塵埃袋を備えた集塵室を備え、一対の大車輪１０１と１個の自在車輪１０２とで、前記吸引ホース２００を介して移動させることができる。
【００１５】
吸引ホース２００は、塵埃を電気掃除機本体１００に搬送するための搬送通路としての機能と、電気掃除機本体１００を移動させるための移動引っ張り手段としての機能を備えている。
【００１６】
手元ハンドル３００は、吸引ホース２００と接続管４００とを連通させる機能と、電気掃除機本体１００の運転制御および電気掃除機本体１００を移動させる機能、さらに吸口体５００の動きを操作する機能とを備えている。この手元ハンドル３００は、吸引ホース２００と着脱可能に接続され、さらに接続管４００とも着脱自在に取り付けられることで、吸引ホース２００と接続管４００とを連通させて塵埃の搬送路を形成している。
【００１７】
さらに手元ハンドル３００は、接続管４００の長手方向、すなわち、接続管４００の中心軸の延長線上の上端に、中心軸と所定の角度（１００度から１２０度前後の角度）を持って形成される。そして、その長手方向の軸が吸引ホース２００と接続管４００との接続方向と略一致する位置にハンドル部３０１を備えている。このハンドル部３０１により、吸引ホース２００を介して電気掃除機本体１００を移動させることができ、さらに、吸口体５００の動きを操作することができる。特に、このハンドル部３０１によれば、ひねり動作、すなわち中心軸を中心とした回転を容易に行なうことができる。さらに、前記ハンドル部３０１の近傍には前記電気掃除機本体１００の運転を操作する操作部３０２が設けられている。
【００１８】
接続管４００は、手元ハンドル３００と吸口体５００とを連通させ、さらに手元ハンドル３００と吸口体５００とを所定の位置で固定することで、手元ハンドル３００の動き（移動や回転）を吸口体５００の動き（移動や回転）とするように伝達する機能を備えている。この実施例では、大きさの異なる２つの管体４０１と４０２とを組み合わせることにより、前記接続管４００を所定の長さで固定できるように伸縮自在に構成し、一方に前記手元ハンドル３００を、他方に前記吸口体５００を着脱自在に取り付けるようにしている。
【００１９】
吸口体５００は、塵埃を吸い込むための第１吸込口５１０を底面に備えた吸口本体５０５と、吸口本体５０５を接続管４００に連結し、接続管４００を介して伝達される手元ハンドル３００の動きに対して常に吸口本体５１０の底面を床面に接するように動作するとともに、吸口本体５０５から吸込んだ塵埃を含んだ空気流が接続管４００に導かれるように連通する自在連結部５６０とで構成される。吸口本体５０５は、床面の塵埃を吸い込むための回転ブラシ（回転清掃体）５１１を備えた第１吸込口５１０を底面に備えている。
【００２０】
自在連結部５６０は、吸口体５００を中心にして、手元ハンドル３００の高低方向Ｙと、左右方向Ｘに回転可能に連結するとともに、手元ハンドル３００のひねり動作の回転をそのまま吸口本体５０５の回転に伝達する機構を備えている。この実施例では、自在連結部５６０を、吸口本体５０５に回転可能に取付けられ高低方向Ｙの回転を可能にする下腕部５６１と、一端を接続管４００に取付けられ、他端を下腕部５６１と左右方向Ｘの回転を可能にするように取付けられる上腕部５６２とから構成される。
【００２１】
ここで、本実施例では、高低方向Ｙの角度を床面から約９０度、左右方向Ｘについては約１８０度の範囲に動作可能に設定している。このように、この実施例は、手元ハンドル３００を介しての吸口体５００の動作、例えば手元ハンドル３００のひねり動作の回転をそのまま吸口体５００の回転とすることができる等、使用者が手元ハンドル３００で行う動作を吸口体５００の動きとしてスムーズに行うことができる。
【００２２】
そして、この実施例に係る電気掃除機１の大きな特徴の１つは、回転ブラシ５１１の一部を露出した第１吸込口５１０に加えて、この第１吸込口５１０を備えた底面５１４ａと対向する筐体面５１４となる上面５１４ｂにガード手段５１５で覆われる第２吸込口５１２を設けた点である。
【００２３】
即ち、この実施例に係る吸口本体５０５は、高さ寸法Ｈより奥行寸法Ｄが大きく、この奥行寸法Ｄより横幅寸法Ｗが大きい寸法体系を備えた横幅のある扁平な外観形状を備えている。この最も広い筐体面５１４である底面５１４ａと上面５１４ｂに第１吸込口５１０と第２吸込口５１２を分けて設けている。尚、底面５１４ａと上面５１４ｂとは必ずしも平行である必要はない。
【００２４】
この構造によれば、底面５１４ａを床面と接触される床用の清掃姿勢（第１清掃姿勢）では、回転ブラシ５１１を露出させる第１吸込口５１０を床面に接する安定した姿勢を取ることができる。そして、回転ブラシ５１１で床面の塵埃を掻きあげて、この掻きあげられた塵埃を吸引することができる。一方、上面５１４ａを床面以外のカーテンやソファーあるいはテーブル面と接触させる清掃姿勢（第２清掃姿勢）では、床面を清掃した回転ブラシ５１１や底面５１４ａを床面以外の清掃部位と接触させること無く、かつ、布地を吸口本体５０５に取り込むこと無く、塵埃のみを吸引することができる。しかも、第２吸込口５１２は筐体の広い筐体面に設けられているので、この広い筐体面に沿って安定した清掃作業を行うことができる。
【００２５】
しかし、吸口本体５０５に複数の吸込口を設けると、当然のように、１つの吸込口から吸引する吸引力が小さくなり有効な清掃作業を行うことができない。
【００２６】
そこで、この実施例の大きな特徴の他の１つは、複数の吸込口から取り込む空気量を調整する吸引調整部５１３を設けた点にある。即ち、この吸引調整部５１３は、第１吸込口５１０または第２吸込口５１２を隠蔽する大きさを備える隠蔽面５１６と、この隠蔽面５１６を移動可能に支持する一対の支持体５１７とを含んで構成する。具体的には、一対の支持体５１７は、吸口本体５０５の両側に設けられる回転軸部５１８によって回転可能に軸支され、隠蔽面５１６は、一対の支持体５１７とその両端部で連結する構造を備えている。
【００２７】
この吸引調整部５１３の構造によれば、吸引調整部５１３を上方に回転させて、隠蔽面５１６を介して第２吸込口５１２を隠蔽する床用の清掃姿勢をとることができる。この床用の清掃姿勢によれば、第２吸込口５１２は吸引調整部５１３によって塞がれるので、極一般的な床用吸口体と同様に、回転ブラシ５１１で床面の塵埃を掻きあげて、この塵埃を第１吸込口５１０から吸引することができる。一方、吸引調整部５１３を下方に回転させて、隠蔽面５１６を介して第１吸込口５１０を隠蔽する床用以外の清掃姿勢をとることができる。
【００２８】
この床用以外の清掃姿勢によれば、第１吸込口５１０は回転ブラシ５１１とともに吸引調整部５１３によって塞がれるので、第１吸込口５１０や回転ブラシ５１１から飛散する塵埃を軽減することができる。そして、第２吸込口５１２のみを開放して、この第２吸込口５１２から塵埃を吸い込むことができる。しかも、吸口体５００を反転させる操作で、第２吸込口５１２をカーテンやソファーあるいはテーブル面に接することで床用以外の清掃を行うことができる。加えて、第２吸込口５１２はガード手段５１５でカーテンなどの布地を取り込むことなく塵埃のみを吸引することができる。
【００２９】
以下、図２から図８を参照して、この実施例に係る電気掃除機１をさらに具体的に説明する。ここで、図２は電気掃除機の概略構造を示す断面図である。図３は吸口体の概略構造の説明図である。図４は吸引調整部の部品展開図である。図５は吸引調整部の回転機構を示す断面図である。図６は吸引調整部の回転姿勢を示す吸口体の右側面図である。図７は自在連結部の回転ロック機構を示す吸口体の外観図である。図８は、吸口体の使用状態図である。
【００３０】
先ず、図２を参照して、この実施例に係る電気掃除機１の内部構造を説明する。前記したように、この実施例の電気掃除機１は、集塵装置１２０を備えた移動可能な掃除機本体１００と、塵埃を吸い込む吸口体５００とを、その内部に通風ロを備えた管状の接続管４００と手元ハンドル３００と吸引ホース２００とで連結することで、吸口体５００で取り込んだ塵埃を掃除機本体１００の集塵装置１２０に取り込む構造としている。
【００３１】
この実施例の掃除機本体１００は、仕切壁１１３を介して、筺体１１０内を集塵室１１１と駆動室１１２に前後に分割している。この仕切壁１１３は、集塵室１１１と駆動室１１２とを連通する通風口１１４を備えている。集塵室１１１には集塵装置１２０が配置され、駆動室１１２には送風装置１４０とコードリール装置１３０及び制御基板１５０が配置される。
【００３２】
この実施例では、集塵装置１２０を使い捨て集塵袋１２１と、通風口１１４を覆うように設けられる集塵フイルタ１２２とで構成している。使い捨て集塵袋１２１は、その投入口を集塵室１１１に形成したホース取付口１１５に取り付けるように集塵室１１１内にセットされる。一方、駆動室１１２には、送風装置１４０とコードリール装置１３０が上下に配置され、操作スイッチを含む制御基板１５０は送風装置１４０の上部に配置される。この実施例では、送風装置１４０を駆動させると、この送風装置１４０が塵埃の取り除かれた空気流を取り込んで、自身を冷却して駆動室１１２内に放出する。この放出された空気流は、図示しない通風路により、制御基板１５０とコードリール装置１３０に導かれて、これを冷却した後、駆動室１１２の裏面側に形成した排気口１１６から排気される。
【００３３】
ここで、この実施例では、集塵装置１２０を使い捨て集塵袋１２１を採用したもので説明したが、この使い捨て集塵袋１２１に換えて、渦流により塵埃を空気流から分離して取り除くサイクロンと呼ばれる集塵装置１２０を採用してもよい。また、駆動室１１２内の図示しない通風路に微細な塵埃を取り除く第２の集塵フイルタを設けるようにしてもよい。
【００３４】
さて、この実施例では、コードリール装置１３０からコードを引き出して家庭内配線に接続することで電気掃除機本体１００を動作させることができる。したがって、掃除機本体１００は、この家庭内配線から取り込んだ電源で送風装置１４０や制御基板１５０を動作／制御することができる。一方、この実施例では、吸口体５００に回転ブラシ５１１を回転させるブラシ駆動部５１９を設け、更に手元ハンドル３００には操作部３０２を設けている。そこで、このブラシ駆動部５１９と操作部３０２に電源を供給し、かつ制御信号を送受信するコード２５０を吸引ホース２００と手元ハンドル３００と接続管４００に配線している。これらのコード２５０は、吸引ホース２００と手元ハンドル３００と接続管４００とを連結することで電気的に接続する構造としている。
【００３５】
この電気掃除機１によれば、手元ハンドル３００の操作部３０２を操作して電源をＯＮ状態とすれば送風装置１４０が駆動して吸口体５００から塵埃を含む空気流を集塵装置１２０に取り込むことができる。そして、このＯＮ状態では、ブラシ駆動部５１９により回転ブラシ５１１を
駆動させることができるので、この回転ブラシ５１１により掻きあげられる床面の塵埃を吸口体５００内に取り込んで、接続管４００と手元ハンドル３００と吸引ホース２００とを介して集塵装置１２０に取り込むことができる。この実施例では、集塵袋１２１で殆ど塵埃を取り込み、取り残した細かな塵埃を集塵フイルタ１２２で取り除くことができる。
【００３６】
次に、図３を参照して、吸口体５００の構造を更に説明する。ここで、図３の（ａ）図は、吸口体３００の外観斜視図であり、（ｂ）図が吸口体の中央縦断面図を示している。
【００３７】
図において、この実施例に係る吸口体５００は、回転ブラシ５１１を内在する吸口本体５０５と、この吸口本体５０５を角度変更可能に接続管４００に連結する自在連結部５６０とから構成している。自在連結部５６０は、管状の下腕部５６１と、管状の上腕部５６２とで構成される。下腕部５６１は、管状の一端を吸口本体５０５とＹ軸回転連結部５７０を介して連結され、他の一端は管状の上腕部５６２の一端とＸ軸回転連結部５７１を介して連結される。また、管状の上腕部５６２の他の一端は、接続管４００と連結可能な構造としている。
【００３８】
そして、Ｘ軸回転連結部５７１は回転軸Ｐ２を中心に空気漏れがないように回転可能に連結され、更に、Ｙ軸回転連結部５７０は、回転軸Ｐ２と直交する回転軸Ｐ１を中心に空気漏れがないように吸口本体５０５に連結される。
【００３９】
この実施例では、回転軸Ｐ１を吸口本体５０５の長手方向と平行な回転軸とすることで、高低方向Ｙの回転を可能とし、この回転軸Ｐ１と直交する回転軸Ｐ２により左右方向Ｘの回転を可能にしている。この直交する２つの回転軸Ｐ１，Ｐ２を備えた自在連結部５６０を介して吸口本体５０５と吸口体５００とを連結することにより、手元ハンドル３００のひねり動作で、この吸口本体５０５を床面（清掃面）に対して回転させることができるとともに、吸口本体５０５と接続管４００とを空気漏れなく連通することができる。さらには、この２つのＹ軸回転連結部５７０とＸ軸回転連結部５７１を介して、コード２５０を配線する構造としている。
【００４０】
さて、この実施例では、前記構造を実現するために、横長扁平な吸口本体５０５の後方中央部分に上方と後方に張り出した連結台部５２０を形成している。この連結台部５２０の上方の前部は、吸口本体５０５の平坦な上面５１４ｂと緩やかに連続するように大きな丸み形状に形成される。一方、この連結台部５２０の上方の後部には、管状の下腕部５６１と連通する開口部５２３を備えた凹状の軸受部５２１が形成される。この軸受部５２１の両側の内壁面には下腕部５６１を両側で回転可能に支持するＹ回転軸受部５２２が形成される。このＹ回転軸受部５２２が回転軸Ｐ１を構成する。
【００４１】
一方、管状の下腕部５６１の一端の両側には、前記Ｙ回転軸受部５２２と回転可能に軸支されるＹ回転軸部５６３が形成される。そして、下腕部５６１の一端と凹状の軸受部５２１は、一対のＹ回転軸受部５２２に一対のＹ回転軸部５６３が取り付けられてＹ軸回転連結部５７０を構成し、下腕部５６１が回転しても互いの接触部分から空気漏れがないように連結される。
【００４２】
また、管状の下腕部５６１と管状の上腕部５６２とは、回転軸Ｐ２に直交する円形の摺動面Ｑ１を介して回転可能に連結される。この実施例では、下腕部５６１と上腕部５６２の管状の端部のいずれか一方が円形穴状のＸ軸回転軸受部５６４で、他方の管外周が凸状のＸ軸回転軸部５６５を構成し、この円形穴状のＸ軸回転軸受部５６４に凸状のＸ軸回転軸部５６５が回転可能に嵌合することで、摺動面Ｑ１に沿って空気漏れないように連結されるＸ軸回転連結部５７１を構成する。
【００４３】
また、横長の薄型扁平な吸口体５００は、その前部に回転ブラシ５１１を収納するブラシ室５２４が形成され、その後部にはブラシ駆動部５１９とブラシ駆動スイッチ５２５が配置される。回転ブラシ５１１は、ブラシ室５２４内に着脱可能に取り付けられるとともに、ベルトを介して、ブラシ駆動部５１９に連結される。
【００４４】
また、ブラシ駆動スイッチ５２５は、車輪を備え、この車輪が常に底面５１４ａから飛び出すように図示しないバネなど介して取り付けられる。そして、このブラシ駆動スイッチ５２５は、車輪が飛び出しているときは回転ブラシ５１１の回転をＯＦＦ状態とし、車輪が床面などに触れて吸口本体５０５内に収納されると回転ブラシ５１１の回転をＯＮ状態とする。したがって、この実施例では、床面の清掃では回転ブラシ５１１を回転させながら行うことができる一方、吸口体５００を床面から放すとブラシ駆動スイッチ５２５により回転ブラシ５１１の回転を止めることができる。
【００４５】
なお、連結台部５２０の後端部には大車輪５２６が設けられており、この大車輪５２６を介して、手元ハンドル３００で操作される前後動や回転操作の応力を受けて、第１吸込口５１０を備えた底面５１４ａを床面に密着させて、吸口体５００の操作性能を向上させている。
【００４６】
さて、この吸口体５００は、吸口本体５０５の上面５１４ｂに第２吸込口５１２を備え、この第２吸込口５１２と第１吸込口５１０とを選択的に閉鎖することができる吸引調整部５１３を備えている。第１吸込口５１０と第２吸込口５１２は、回転ブラシ５１１を挟んで対向する筺体面５１４である底面５１４ａと上面５１４ｂに設けられている。
【００４７】
第１吸込口５１０は、ブラシ室５２４に対して大きく開口し、この開口部分から回転ブラシ５１１が露出し、しかも、その一部が床面と接触するように突出するように設けられている。一方、第２吸込口５１２は、その全体がガード手段５１５で覆われた構造としている。このガード手段５１５は、荒い格子状や荒い桟あるいは荒いスリット形状で形成される。この構造の意味は、ある程度腰のあるカーテン生地や布地を吸引することなく、この布地などに付着した塵埃を吸い込むためのものである。
【００４８】
また、吸引調整部５１３は、吸口本体５０５の長手方向の両端部に設けた回転軸部５１８を介して、第１吸込口５１０と第２吸込口５１２の一方を封鎖可能に取り付けられている。この具体的な構造を図４から図６を参照して説明する。
【００４９】
図４において、この実施例に係る吸引調整部５１３は、第１吸込口５１０と第２吸込口５１２を覆う大きさを備えた板状の隠蔽面５１６と、この隠蔽面５１６の両端に形成される一対の支持体５１７とを含んで構成される。隠蔽面５１６は、全面隠蔽されていてもよいし、被清掃面から３０ｃｍ程離れた所に浮遊する塵埃を吸い込めるように、ガード手段５１５の開口面積よりも小さい孔またはスリットを有していてもよい。隠蔽面５１６は、横長矩形状で、かつ、その断面形状は中央が外方に張り出した円弧形状に形成される。一方、一対の支持体５１７は、隠蔽面５１６の長手方向に対して直交する姿勢を取り、かつ、その一辺が隠蔽面５１６の端部に連続する三角形状に形成される。この三角形状の支持体５１７は、その先端部から隠蔽面５１６に向かって形成されるスライド溝５２７が設けられており、このスライド溝５２７が回転軸部５１８と嵌合することで、一対の回転軸部５１８を中心に吸引調整部５１３を回転させることができるとともに、スライド溝５２７の長手方向に沿って吸引調整部５１３をスライド移動させることができる。
【００５０】
また、吸引調整部５１３は、コイルバネ５２８を介して、この吸引調整部５１３が常に吸口本体５０５に引き付けられるように連結される。この実施例の回転軸部５１８は、吸口本体５０５の両端に形成する凸状の取付孔５１８ａと、この取付孔５１８ａに取り付けられるビス５１８ｂとで構成する。そして、コイルバネ５２８の一端は取付孔５１８ａに取り付けられ、他の一端は、スライド溝５２７の延長線上の隠蔽面５１６または支持体５１７の端部に形成される突起部５２９に取り付けられる。この構造により、吸引調整部５１３は、常に、吸口本体５０５に引き付けられる応力を受けながら一対の回転軸部５１８を中心に回転させることができる
また、この実施例では、吸口本体５０５の両側の底面５１４ａと上面５１４ｂ、及び底面５１４ａと上面５１４ｂを連結する筐体面に凹状のガイド溝５３０を形成し、このガイド溝５３０に突き当たって、このガイド溝５３０に沿って移動可能に形成される凸状リブ５３１を隠蔽面５１６の両端部の内側に設けている。この構造による吸引調整部５１３の動作を、図５と図６を参照して更に説明する。
【００５１】
図５の（ａ）図は、回転軸部５１８の軸方向から見たガイド溝５３０の断面図であり、（ｂ）図は、回転軸部５１８と直交する方向から見たガイド溝５３０の断面図である。また、図６の（ａ）図は、第２吸込口５１２を吸引調整部５１３で覆った状態の吸口体５００の右側面図であり、（ｂ）図は第１吸込口５１０吸引調整部５１３で覆った状態の吸口体５００の右側面図である。
【００５２】
図５の実線で示した吸引調整部５１３及び図６に示した吸引調整部５１３は、床面の清掃姿勢を取った状態の位置を示している。この床面の清掃姿勢では、吸引調整部５１３が第２吸込口５１２を覆う状態となっている。
【００５３】
即ち、この清掃姿勢では、吸口本体５０５の長手方向の両端部に設けた一対の回転軸部５１８に、スライド溝５２７を介して、吸引調整部５１３が取り付けられている。また、吸引調整部５１３は、取付孔５１８ａと突起部５２９に取り付けられるコイルバネ５２８により、常に、この吸引調整部５１３が吸口本体５０５側（図５の矢印Ｚ１方向）に引き付けられている。このため、この吸引調整部５１３の凸状リブ５３１の先端部は、矢印Ｚ１の応力を受けることにより、ガイド溝５３０に嵌合して、吸引調整部５１３の位置が特定される。この特定された位置は、吸引調整部５１３の隠蔽面５１６が第２吸込口５１２の覆う位置である。
【００５４】
ここで、図５（ａ）図に示すように、隠蔽面５１６は断面が円弧形状に形成されているので、この円弧形状の前後の端部が上面５１４ｂと接触して、更には、隠蔽面５１６の長手方向の両端部に形成した支持体５１７により、第２吸込口５１２を密閉することができる。
【００５５】
さて、回転軸部５１８を中心とする隠蔽面５１６の回転移動に伴って、凸状リブ５３１の先端部は、コイルバネ５２８の作用により、常に、吸口本体５０５に当たって移動する。この実施例では、この凸状リブ５３１の先端部の移動路に沿ってガイド溝５３０を形成している。したがって、吸引調整部５１３は、ガイド溝５３０に沿って移動する凸状リブ５３１によって、その回転が案内される。
【００５６】
ところで、一対の支持体５１７で支持される隠蔽面５１６を回転軸部５１８を中心に回転させると、隠蔽面５１６の回転軌跡は円形となる。したがって、吸口本体５０５の筺体面５１４が、この円形の曲面を備えていれば、回転軸部５１８を固定軸としても隠蔽面５１６を回転させることができる。しかし、この実施例では、回転軸部５１８から底面５１４ａまでの長さＬ１と、回転軸部５１８から上面５１４ｂまでの長さＬ２と、回転軸部５１８から吸口本体５０５の先端部までの長さＬ３がそれぞれ異なり、しかも、吸口本体５０５の断面形状は円弧形状ではない。
【００５７】
そこで、この実施例では、回転軸部５１８がスライド溝５２７を移動可能な構造としている。この構造によれば、図５（ａ）図に示すように、隠蔽面５１６を回転させると、凸状リブ５３１が、その先端部をコイルバネ５２８によってガイド溝５３０に押し当てられながらガイド溝５３０に沿って回転移動する。この際、凸状リブ５３１とガイド溝５３０の接点と回転軸部５１８との回転半径Ｒは回転移動に伴って変化することとなるが、その変化は回転軸部５１８がスライド溝５２７に沿って移動することで吸収することができる。これにより、吸引調整部５１３をスムーズに回転させることができる。
【００５８】
したがって、図５（ａ）図に実線で示す床用の清掃姿勢（図６（ａ）図）の吸引調整部５１３を、回転軸部５１８を中心に回転させ、その位置を、図５の破線で示す床用以外の清掃姿勢（図６（ｂ）図）に変化させることができる。この床用以外の清掃姿勢では、第１吸込口５１０を隠蔽面５１６で覆うことができる。この床用以外の清掃姿勢でも、隠蔽面５１６は断面が円弧形状に形成されているので、この円弧形状の前後の端部が底面５１４ａと接触して、更には、隠蔽面５１６の長手方向の両端部に形成した支持体５１７により、第１吸込口５１０を密閉することができる。しかも、隠蔽面５１６は円弧形状の断面を備えているので、第１吸込口５１０から外側に張り出した回転ブラシ５１１を覆うことができる。
【００５９】
また、この実施例では、ガイド溝５３０の両方の終端部５３０ａを床用の清掃姿勢と、床用以外の清掃姿勢での吸引調整部５１３の位置にあわせて終端させている。これにより、前記２つ清掃姿勢での吸引調整部５１３の位置を特定して行過ぎる移動を制限している。
【００６０】
次に、図７を参照して、自在連結部５６０のロック機構を説明する。ここで、図７の（ａ）図は、前方から見た吸口体５００の斜視図、（ｂ）図は後方から見た吸口体５００の斜視図である。
【００６１】
図７において、この実施例に係る吸口体５００は、床用の清掃姿勢での清掃性を向上するために、自在連結部５６０を高低方向Ｙの回転と左右方向Ｘの２つの回転軸Ｐ１，Ｐ２で回転可能としている。これにより、自動車のハンドルで車輪を回転させるように、手元ハンドル３００でのひねり操作により吸口本体５０５を床面に対して回転させることができる。
【００６２】
しかし、この実施例に係る吸口体５００は、床用の清掃姿勢から吸口本体５０５を反転させて、第１吸込口５１０を備えた底面５１４ａと対向する上面５１４ｂに設けた第２吸込口５１２による床用以外の清掃姿勢を取ることができる。この床用以外の清掃姿勢では、自在連結部５６０の動きが大きな課題となる。つまり、吸口本体５０５が動きすぎて、第２吸込口５１２を備えた上面５１４ｂを床面以外の清掃面に密着しずらくなる。
【００６３】
そこで、この実施例では、自在連結部５６０の動きを所定の位置で固定するロック機構６００を備えている。このロックロック機構６００は、高低方向Ｙの回転と左右方向Ｘの２つ回転軸Ｐ１，Ｐ２を構成するＹ軸回転連結部５７０とＸ軸回転連結部５７１にＹ軸ロック機構部６１０と
Ｘ軸ロック機構部６３０を設けるようにする。
【００６４】
図７の（ａ）図には、Ｘ軸ロック機構部６３０を示している。Ｘ軸ロック機構部６３０は、下腕部５６１の他の一端に形成されるＸ軸凹部６３１と、上腕部５６２の一端に設けられるＸ軸レバー機構部６３２とから構成される。Ｘ軸レバー機構部６３２は、図示しないバネにより一端を上腕部５６２の端部から常に突出するように設けられるレバー部６３３を含んで構成する。レバー部６３３は、その一部を上腕部５６２の筺体面から露出させ、これを指で操作することで、レバー部６３３の一端を筺体内に引き込んで、ロック状態を解除することができる。
【００６５】
一方、下腕部５６１の他の一端は、回転軸Ｐ２の円周に沿った形状に形成され、その円周上にＸ軸凹部６３１が形成される。この実施例では、下腕部５６１と上腕部５６２の長手方向が一致する位置にＸ軸凹部６３１を形成することで、レバー部５３３の一端がＸ軸凹部６３１に嵌合して、Ｘ軸回転連結部５７１をロック状態とする。
【００６６】
ここで、レバー部６３３の一端を突出させるバネの強さは、吸口体５００を浮かして反転してもその姿勢を変えない程度の強さであって、一時的な固定を維持するものである。したがって、このＹ軸ロック機構部６１０のロック状態は、ある程度の力を加える、例えば、床面の清掃姿勢に戻して、手元ハンドル３００でのひねり操作で解除できるようにする。もちろん、レバー部６３３を手で操作することでも、解除は可能である。
【００６７】
また、図７の（ｂ）図には、Ｙ軸ロック機構部６１０を示している。Ｙ軸ロック機構部６１０は、下腕部５６１の一端に形成されるＹ軸凹部６１１と、連結台部５２０に設けられるＹ軸レバー機構部６１２とから構成される。Ｙ軸レバー機構部６１２は、図示しないバネにより一端を連結台部５２０一方の内壁面から常に突出するように設けられるレバー部６１３を含んで構成する。レバー部６１３は、その一部を連結台部５２の筺体面から露出させ、これを指で操作することで、レバー部６１３の一端を筺体内に引き込んで、ロック状態を解除することができる。
【００６８】
ここで、このＹ軸ロック機構部６１０でもレバー部６１３の一端を突出させるバネの強さは、吸口体５００を浮かして反転してもその姿勢を変えない程度の強さであって、一時的な固定を維持するものである。したがって、このＹ軸ロック機構部６１０のロック状態は、ある程度の力を加える、例えば、床面の清掃姿勢に戻して、手元ハンドル３００でのひねり操作で解除できるようにする。もちろん、レバー部６１３を手で操作することでも、解除は可能である。
【００６９】
また、この実施例では、図６に示すように、吸口本体５０５の底面５１４ａを床面に接する状態で、下腕部５６１と上腕部５６２の長手方向は床面に略平行となる姿勢でロック状態となるように、Ｙ軸凹部６１１を下腕部５６１の一端に形成している。
【００７０】
次に、図１と図６及ぶ図８を参照して、この実施例に係る電気掃除機１の大きな特徴である吸口体５００の使い勝手を説明する。ここで、図８は、カーテンを清掃する状態を示している。
【００７１】
先ず、この実施例に係る電気掃除機１は、図６の（ａ）図に示すように、吸引調整部５１３を介して吸口本体５０５の上面５１４ｂに設けた第２吸込口５１２を塞ぐことで、通常の床用吸口としての機能を達成することができる。即ち、図１に示すように、手元ハンドル３００を使用者が握って、この手元ハンドル３００に接続管４００を介して連結される吸口体５００を床面に対して移動させたり回転させたりして清掃作業を行うことができる。
【００７２】
この実施例では、吸引調整部５１３を、ガイド溝５３０に沿って、図６の（ａ）図に示す吸口本体５０５の上面５１４ｂの位置から（ｂ）図に示す底面５１４ａに回転させることができる。この吸引調整部５１３はコイルバネ５２８によって吸口本体５０５側に引き付けられているので、ガタツキなくスムーズに回転させることができる。
【００７３】
そして、手元ハンドル３００を操作して、吸口本体５０５の姿勢をロック状態の位置にすると、図８に示すように、接続管４００の長手方向の延長線上に自在連結部５６０（下腕部５６１と上腕部５６２）の長手方向が連続して、この延長線と直行するように吸口本体５０５の長手方向が固定される。これにより、接続管４００の先端部の横位置に吸口本体５０５の上面５１４ｂが向く姿勢を取ることができる。
【００７４】
この姿勢であれば、吊り下げられたカーテン生地に沿って第２吸込口５１２を備えた上面５１４ｂを移動させることができるので、カーテン生地に付着した塵埃を集塵することができる。しかも、この第２吸込口５１２での集塵では、塵埃は集塵するものの生地はガード手段５１５によって吸引され難いので清掃性を向上することができる。加えて、床面を清掃した回転ブラシ５１１は吸引調整部５１３によって隠蔽されるので、この回転ブラシ５１１がカーテンに触れたり、あるいは回転ブラシ５１１に付着した塵が飛散することを軽減できる。更に、第２吸込口５１２を備えた上面５１４ｂと、第１吸込口５１０を備えた底面５１４ａとは吸口本体５０５の対向する筐体面５１４であるため、図８のように、カーテンの清掃中に床面と触れた底面５１４ａがカーテンに触れるのを軽減することができる。
【００７５】
この他、この図８に示す姿勢であれば、他のソファーや布団あるいはテーブル面などに付着した塵埃の清掃をカーテン清掃と同様な作用効果で行うことができる。
【００７６】
複数の吸込口そのものを選択的に隠蔽（閉鎖）する代わりに、それぞれの吸込口に連通する流路を選択的に隠蔽（閉鎖）してもよい。
（第２実施例）
次に、図９と図１０を参照して、第２実施例に係る吸口体５００ａを具体的に説明する。この吸口体５００ａは、吸口本体５０５の対向する筺体面５１４である底面５１４ａと上面５１４ｂに加えて正面５１４ｃに第３吸込口５３２を設けるとともに、この第３吸込口５３２を開閉する第２吸引調整部５１３ａを配置した構造としている。ここで、図９は、第２実施例に係る吸口体５００ａの概略構造図である。また、図１０は一対の吸引調整部の動作状態を示す部分断面図である。
【００７７】
図９において、第２実施例に係る吸口体５００ａは、吸口本体５０５の底面５１４ａに図示しない回転ブラシ５１１を露出した第１吸込口５１０を設け、この底面５１４ａと対向する上面５１４ｂに図示しないガード手段５１５で覆われる第２吸込口５１２を設け、吸口体５００ａの前面５１４ｃには図示しないガード手段５１５で覆われる第３吸込口５３２を設けている。そして、第２吸込口５１２と第３吸込口５３２を隠蔽することが可能な隠蔽面５１６ａを備えた第２吸引調整部５１３ａと、この隠蔽面５１６ａより一回り大きく、かつ第１吸込口５１０を隠蔽可能な隠蔽面５１６を備えた吸引調整部５１３を備えている。
【００７８】
ここで、吸引調整部５１３は前記第１実施例で説明した構造と同様な構造を備えている。また、第２吸引調整部５１３ａもまた、吸引調整部５１３と同様な構造を備えており、ここでは、第１実施例と異なる点を中心に説明する。
【００７９】
第２吸引調整部５１３ａは、吸引調整部５１３と同様に、一対の支持体５１７と、この一対の支持体５１７に両側を連結する隠蔽面５１６ａを備えている。一対の支持体５１７の支持体５１７はスライド溝５２７と図示しないコイルバネ５２８も備えている。そして、この一対の吸引調整部５１３と第２吸引調整部５１３ａとは、同じ回転軸となる一対の回転軸部５１８にそれぞれのスライド溝５２７を介して回転可能に取り付けられている。
【００８０】
図１０において、この実施例では、第２吸引調整部５１３ａは、第２吸込口５１２と第３吸込口５３２のどちらか一方を隠蔽することができるように図示しない第２のガイド溝５３０が形成される。一方、吸引調整部５１３は、第１実施例と同様に、第１吸込口５１０と第２吸込口５１２のどちらか一方を隠蔽することができる。そして、（ｄ）図に示すように、第２吸引調整部５１３ａを覆いかぶさるように吸引調整部５１３を重ねることができる。これは、スライド溝５２７に回転軸部５１８が移動可能に取り付けられる構造で達成できる。
【００８１】
さて、この実施例では、３つの吸込口とこれを選択的に隠蔽する一対の吸引調整部とで、図１０の４つの清掃姿勢をとることができる。
【００８２】
即ち、（ａ）図と（ｄ）図は床面の清掃に適した清掃姿勢である。先ず、（ａ）図は、第２吸引調整部５１３ａで第３吸込口５３２で塞ぎ、吸引調整部５１３で第２吸込口５１２を塞いだ姿勢である。この姿勢は、図６（ａ）図と同様な清掃を行うことができる。一方、（ｄ）図は、第２吸込口５１２を第２吸引調整部５１３ａと吸引調整部５１３で塞いだ姿勢である。この姿勢であれば、図示しない回転ブラシ５１１を備えた第１吸込口５１０に加えて、吸口本体５０５の正面５１４ｃに設けた第３吸込口５３２からも塵埃を集塵することができる。
【００８３】
電気掃除機で床面の清掃を行う場合、壁際が清掃し難いという課題がある。これは、底面５１４ａに設けた第１吸込口５１０を前面側に大きく開放することが構造上、難しいために従来から吸口体の大きな課題となっている。この実施例では、正面５１４ｃに設けた第３吸込口５３２から壁際の塵埃を集塵することができるので、前記課題を軽減することができる。しかも、正面５１４ｃに設けた第３吸込口５３２を常に開放しておくと、当然のように、第１吸込口５１０からの集塵性能が劣ることとなる。しかし、この実施例では、第３吸込口５３２を選択的に開放することができるので前記課題を解決することができる。
【００８４】
また、（ｃ）図は、第１吸込口５１０を吸引調整部５１３で塞ぎ、第３吸込口５３２を第２吸引調整部５１３ａで塞いだ清掃姿勢である。この清掃姿勢では、図６の（ｂ）図と同様な作用効果を得ることができる。
【００８５】
また、（ｂ）図は、第１吸込口５１０を吸引調整部５１３で塞ぎ、第２吸込口５１２を第２吸引調整部５１３ａで塞いだ清掃姿勢である。この清掃姿勢では、吸口本体５０５の細い先端部の正面５１４ｃに設けた第３吸込口５３２のみから塵埃を集塵することができる。したがって、この清掃姿勢では、幅広の隙間吸口の作用効果が得られるので、例えば、壁際の清掃や狭い隙間の清掃に適している。
（第３実施例）
次に、図１１と図１２を参照して、第３実施例を具体的に説明する。この第３実施例に係る吸口体５００ｂは、回転構造の吸引調整部５１３に換えてシャッタ構造の吸引調整部５１３ｂを備えたものである。ここで、図１１はこの第３実施例に係る吸口体５００ｂの外観図であり、（ａ）図が上面から見た斜視図、（ｂ）図が底面側から見た斜視図である。図１２は、吸口体５００ｂの縦断面図であり、（ａ）図が床面を清掃する姿勢の断面図、（ｂ）図が床面以外の清掃する姿勢の断面図である。なお、この実施例では、シャッタ構造の吸引調整部５１３ｂ以外は、基本的に、第１実施例と同様な構造を備えている。ここでは、第１実施例と同様な構造は同一符号をもって示して重複した説明を省略する。
【００８６】
図１１及び図１２において、この第３実施例に係る吸口体５００ｂは、吸口本体５０５の対向する底面５１４ａに第１吸込口５１０を、底面５１４ａには第２吸込口５１２を設けている。吸口本体５０５の長手方向の両端部には、蛇腹構造の吸引調整部５１３ｂを支持する一対の支持レール５３３が設けられている。吸引調整部５１３ｂは、両端を一対の支持レール５３３に支持されて移動させることにより、図１１（ａ）図と図１２（ａ）に示すような、第１吸込口５１０を開放して第２吸込口５１２を隠蔽する状態と、図１１（ｂ）図と図１２（ｂ）図に示すような第２吸込口５１２を開放してを第１吸込口５１０隠蔽する状態を取らせることができる。この吸引調整部５１３ｂの一対の支持レール５３３に沿ったスライド移動は、第２吸込口５１２から露出する吸引調整部５１３ｂの端部に設けた取っ手５３４を介して行うことができる。第２吸込口５１２の中央の前後端部には、取っ手５３４と嵌合する一対の切欠部５３５が形成されており、後方の切欠部５３４ｂに取っ手５３４を合わせれば第２吸込口５１２を吸引調整部５１３ｂで隠蔽し、前方の切欠部５３４ａに取っ手５３４を合わせれば第２吸込口５１２を開放することができる。
【００８７】
この第３実施例によれば、スライド移動する吸引調整部５１３ｂを吸口本体５０５の内部に納めることができ、かつ、その移動は第２吸込口５１２に露出する取っ手５３４を前後に移動させることで実現できるので、使い勝手が良好であるとともに、前記第１実施例と同様な作用効果を得ることができる。
（第４実施例）
次に、図１３から図１５を参照して、第３実施例に係る吸口体５００ｃを具体的に説明する。ここで、図１３は、吸口体５００ｃを後方から見た外観斜視図である。図１４は、吸口体５００ｃの中央縦断面図である。図１５は、自在連結部５６０ａの部品展開図である。
【００８８】
図１３において、この第３実施例に係る吸口体５００ｃは、第１実施例で説明した自在連結部５６０に換えて、構造の異なる自在連結部５６０ａを採用したものである。即ち、この自在連結部５６０ａは、下腕部５６１ａと上腕部５６２ａの２本の管体とからなり、かつ、下腕部５６１ａの長手方向の両端に形成される回転軸Ｐ１、Ｐ２を直交する構造とした点で、前記自在連結部５６０と共通するものの、吸口本体５０５と連結する回転軸Ｐ２を左右方向Ｘに回転可能とするＸ軸回転連結部５７１ａとし、下腕部５６１ａと上腕部５６２ａとの連結を高低方向Ｙに回転可能とするＹ軸回転連結部５７０ａとした点である。この自在連結部５６０ａ以外の構造は、前記第１実施例と同様につき、具体的な説明を省略する。
【００８９】
図１４と図１５において、吸口体５００ｃは、塵埃を吸い込むための第１吸込口５１０を底面に備えた吸口本体５０５と、吸口本体５０５を接続管４００に連結し、この接続管４００を介して伝達される手元ハンドル３００の動きに対して常に吸口本体５０５の底面５１４ａを床面に接するように動作するとともに、吸口本体５０５から吸込んだ塵埃を含んだ空気流が接続管４００に導かれるように連通する自在連結部５６０ａとで構成される。
【００９０】
自在連結部５６０ａは、吸口体５００を中心にして、手元ハンドル３００の高低方向Ｙと、左右方向Ｘに回転可能に連結するとともに、手元ハンドル３００のひねり動作の回転をそのまま吸口本体５０５の回転に伝達する機構を備えている。この実施例では、自在連結部５６０ａを、吸口本体５０５に回転可能に取付けられ左右方向Ｘの回転を可能にする下腕部５６１ａと、一端を接続管４００に取付けられ、他端を下腕部５６１と高低方向Ｙの回転を可能にするように取付けられる上腕部５６２ａとから構成される。
【００９１】
ここで、本実施例では、高低方向Ｙの角度を床面から約９０度、左右方向Ｘについては約１８０度の範囲に動作可能に設定している。このように、この実施例は、手元ハンドル３００を介しての吸口体５００の動作、例えば手元ハンドル３００のひねり動作の回転をそのまま吸口体５００の回転とすることができる等、使用者が手元ハンドル３００で行う動作を吸口体５００の動きとしてスムーズに行うことができる。
【００９２】
そして、この実施例に係る吸口本体５０５ｃに設けた第１吸込口５１０と第２吸込口５１２の配置や吸引調整部５１３の回転構造は第１実施例と同様な構造を備えている。また、吸口本体５０５ｃは、横長扁平な吸口本体５０５の後方中央部分に、上方と後方に張り出した連結隆起部５３６を形成している。この連結隆起部５３６の後部には、Ｘ軸回転連結部５７１ａの一方を構成する円形に開口したＸ軸回転軸受部５３７が形成される。このＸ軸回転軸受部５３７は、床面（底面５１４ａ）に対して、略垂直な摺動面Ｑ２を備えている。即ち、このＸ軸回転軸受部５３７は、床面に対して、略平行な回転軸Ｐ２を備えて形成される。
【００９３】
一方、下腕部５６１ａの一端は、Ｘ軸回転連結部５７１ａの他方を構成する円形のＸ軸回転軸部６３４が形成される。そして、このＸ軸回転軸部６３４がＸ軸回転軸受部５３７に嵌合することで、下腕部５６１が回転軸Ｐ２と一致する管軸を中心に空気漏れがないように回転する構造となっている。
【００９４】
また、下腕部５６１ａの他の一端は、上腕部５６２ａの一端を嵌合するＹ軸回転軸受部６３５が形成される。このＹ軸回転軸受部６３５は、管状の端部の対向する壁面６３６を残して、その内側に切欠部６３７が形成され、この対向する壁面６３６の内壁面に形成される。この一対のＹ軸回転軸受部６３５で形成される回転軸Ｐ１は、前記回転軸Ｐ２に対して直交するように形成される。
【００９５】
一方、上腕部５６２ａの一端は、管状の対向する周側面に一対のＹ軸回転軸部６３８が形成される。この一対のＹ軸回転軸部６３８が、Ｙ軸回転軸受部６３５に回転可能に嵌合することでＹ軸回転連結部５７０ａを構成する。上腕部５６２ａの一端は、壁面６３６の間に形成される切欠部６３７に嵌合し、回転軸Ｐ１を中心に回転しても空気漏れがないように形成される。
【００９６】
ここで、この実施例のＹ軸回転連結部５７０ａは、上腕部５６２ａの長手方向が下腕部５６１ａの長手方向と一致する状態から、上腕部５６２ａの長手方向が下腕部５６１ａの長手方向と直交（９０度の動作範囲）する状態となる位置まで折れ曲がる構造としている。このため、この９０度の動作範囲を空気漏れなく、かつ十分な塵埃通路を形成して、下腕部５６１ａと上腕部５６２ａを回転可能に連結するには大きな課題がある。そこで、この実施例では、前記課題を解決するために、Ｙ軸回転連結部５７０ａをシャッタ構造としている。
【００９７】
即ち、この実施形態では、Ｙ軸回転軸受部６３５を介して回転可能に取り付けられる、シャッタ６３９を採用している。このシャッタ６３９は、下腕部５６１ａと上腕部５６２ａが直線状となる姿勢で形成される隙間を塞ぎ、直角に折り曲がった状態では、上腕部５６２ａの弧状の端部と重なって収納される構造となっている。この構造は、図１５に示すように、シャッタ６３９の両側に回転軸受部６４０を設け、この回転軸受部６４０の先端にＹ軸回転軸受部６３５が回転可能に勘合する構造とすることで達成している。
【００９８】
このように、この発明に係る電気掃除機は、塵埃を吸い込むための送風機を備えた電気掃除機本体と、一端を前記電気掃除機本体に取付けられて前記送風機に連通する柔軟性のある吸引ホースと、前記吸引ホースの他端と取付けられて前記送風機に連通する手元ハンドルと、前記手元ハンドルに取付けられて前記吸引ホースに連通する接続管と、前記接続管に取付けられて該接続管に連通する吸口体とからなり、前記吸口体は、回転清掃体と該回転清掃体の駆動部とを備えた吸口本体と、前記吸口本体を前記接続管に回転可能に連結し、前記吸口本体の塵埃通路と前記接続管を連通する自在連結部を備え、前記自在連結部は、管状の下腕部と管状の上腕部とから構成され、前記下腕部は、その長手方向の一端を第１回転軸部を介して前記吸口本体と回転可能に連結し、他の一端は前記上腕部の一端と第２回転軸部を介して回転可能に連結され、前記第１回転軸部と前記第２回転軸部はそれぞれ直交する回転軸を備え、前記吸口本体は、回転清掃体を備えた吸口本体と、この吸口本体と接続管との角度を可変に連結する自在連結部とから構成し、前記吸口本体は、その対向する筺体面に回転清掃体を露出する第１吸込口と、ガード手段で覆われる第２吸込口とを設けるとともに、この第１吸込口と第２吸込口の一方を閉鎖可能とする遮蔽部（吸引調整部）を備えるようにする。
【００９９】
この場合、前記遮蔽部は、第１吸込口と第２吸込口を覆う大きさを備えた遮蔽面と、この遮蔽面を支持する支持体を含んで構成する。加えて、前記支持体は、前記遮蔽面の長手方向と直交する両端部に設けられて、前記吸口本体の長手方向の両端部に設けられる回転軸と回転可能に連結するスライド溝と、前記吸口本体と引き合う作用で連結されるバネ材とを備え、前記吸口本体は、前記遮蔽部の回転移動を案内支持するガイド溝を備えるようにする。あるいは、前記遮蔽面は蛇腹状であり、前記支持体は、蛇腹状の前記遮蔽面を支持する支持レールで構成するようにする。
【符号の説明】
【０１００】
１００…掃除機本体、１０１…大車輪、１０２…自在車輪、３０１…ハンドル部、３０２…操作部、１００…筺体、１１１…集塵室、１１２…駆動室、１１３…仕切壁、１１４…通風口、１１５…ホース取付口、１１６…排気口、１２０…集塵装置、１２１…集塵袋、１２２…集塵フイルタ、１３０…コードリール装置、１４０…送風装置、１５０…制御基板、２００…吸引ホース、２５０…コード、３００…手元ハンドル、３０１…ハンドル部、３０２…操作部、４００…接続管、４０１、４０２…管体、５００…吸口体、５０５…吸口本体、５１０…第１吸込口、５１１…回転ブラシ、５１２…第２吸込口、５１３…吸引調整部、５１３ａ…第２吸引調整部、５１３ｂ…吸引調整部、５１４…筐体面、５１４ａ…底面、５１４ｂ…上面、５１４ｃ…正面、５１５…ガード手段、５１６…隠蔽面、５１６ａ…隠蔽面、５１７…支持体、５１８…回転軸部、５１８ａ…取付孔、５１８ｂ…ビス、５１９…ブラシ駆動部、５２０…連結台部、５２１…軸受部、５２２…Ｙ回転軸受部、５２３…開口部、５２４…ブラシ室、５２５…ブラシ駆動スイッチ、５２６…大車輪、５２７…スライド溝、５２８…コイルバネ、５２９…突起部、５３０…ガイド溝、５３１…凸状リブ、５３２…第３吸込口、５３３…支持レール、５３４…取っ手、５３５…切欠部、５３６…連結隆起部、５６０…自在連結部、５６１…下腕部、５６２…上腕部、５６３…Ｙ回転軸部、５６４…Ｘ軸回転軸受部、５６５…Ｘ軸回転軸部、５７０…Ｙ軸回転連結部、５７０ａ…Ｙ軸回転連結部、５７１…Ｘ軸回転連結部、５７１ａ…Ｘ軸回転連結部、６００…ロック機構、６１０…Ｙ軸ロック機構部、６１１…Ｙ軸凹部、６１２…Ｙ軸レバー機構部、６１３…レバー部、６３０…Ｘ軸ロック機構部、６３１…Ｘ軸凹部、６３２…Ｘ軸レバー機構部、６３３…レバー部、６３４…Ｘ軸回転軸部、６３５…Ｙ軸回転軸受部、６３６…壁面、６３７…切欠部、６３８…Ｙ軸回転軸部、６３９…シャッタ、６４０…回転軸受部
【図１】
2010227465.tif 000003
【図２】
2010227465.tif 000004
【図３】
2010227465.tif 000005
【図４】
2010227465.tif 000006
【図５】
2010227465.tif 000007
【図６】
2010227465.tif 000008
【図７】
2010227465.tif 000009
【図８】
2010227465.tif 000010
【図９】
2010227465.tif 000011
【図１０】
2010227465.tif 000012
【図１１】
2010227465.tif 000013
【図１２】
2010227465.tif 000014
【図１３】
2010227465.tif 000015
【図１４】
2010227465.tif 000016
【図１５】
2010227465.tif 000017